(57)【特許請求の範囲】
【請求項１】
車両内に搭載され、外部装置との通信を行う車載通信装置に用いられ、フロントガラスを介して少なくとも前記外部装置からの信号を受信し、コントロールユニット側へ受信信号を送出可能なアンテナユニットであって、
当該アンテナユニットはアンテナ部と制御回路部とから構成されており、それらが両方とも収納されたケースが、ダッシュボード付近に配置されたディスプレイの正面以外の周囲に、取付位置を当該ディスプレイの上下方向に調節可能に、かつ取り外し自在に取り付けられており、
前記受信信号を前記コントロールユニット側へ送出するための信号線が前記収納ケースから外部に延出されており、当該信号線は、前記ディスプレイの背面側に設けられた溝に嵌め込まれていること
を特徴とする車載通信装置用のアンテナユニット。
【請求項２】
車両内に搭載され、外部装置との通信を行う車載通信装置に用いられ、フロントガラスを介して少なくとも前記外部装置からの信号を受信し、コントロールユニット側へ受信信号を送出可能なアンテナユニットであって、
当該アンテナユニットはアンテナ部と制御回路部とから構成されており、それらが両方とも収納されたケースが、ダッシュボード付近に配置されたディスプレイの正面以外の周囲に、取付位置を当該ディスプレイの上下方向に調節可能に、かつ取り外し自在に取り付けられており、
前記収納ケースは、ディスプレイ側に設けられたコネクタと接続可能なコネクタも収納しており、前記受信信号は、前記コネクタを介し、さらにディスプレイが車載の別の装置と通信するために有する信号線を介して、前記コントロールユニット側へ送出されるように構成されていること
を特徴とする車載通信装置用のアンテナユニット。
【請求項３】
車両内に搭載され、外部装置との通信を行う車載通信装置に用いられ、フロントガラスを介して少なくとも前記外部装置からの信号を受信し、コントロールユニット側へ受信信号を送出可能なアンテナユニットであって、
ダッシュボード付近に配置されたディスプレイの背面側に設けられた、当該アンテナユニットの形状に相当する空間に嵌め込むことで取り付けられていること
を特徴とする車載通信装置用のアンテナユニット。
【請求項４】
車両内に搭載され、外部装置との通信を行う車載通信装置に用いられ、フロントガラスを介して少なくとも前記外部装置からの信号を受信し、コントロールユニット側へ受信信号を送出可能なアンテナユニットであって、
ダッシュボード付近に配置されたディスプレイの背面側に縦方向に設けられた係止溝に係合することで、当該アンテナユニットを前記ディスプレイの背面側に固定可能な係合手段を備え、当該係合手段によって前記係止溝に沿った任意の場所に取り付け可能に構成されていること
を特徴とする車載通信装置用のアンテナユニット。
【請求項５】
請求項１又は２記載の車載通信装置用のアンテナユニットにおいて、
前記ディスプレイの背面側に取り付けられていること
を特徴とする車載通信装置用のアンテナユニット。
【請求項６】
請求項３又は４記載の車載通信装置用のアンテナユニットにおいて、
当該アンテナユニットはアンテナ部と制御回路部とから構成されており、それらが両方とも収納されたケースが前記ディスプレイに取り外し自在に取り付けられていること
を特徴とする車載通信装置用のアンテナユニット。
【請求項７】
請求項６記載の車載通信装置用のアンテナユニットにおいて、
前記受信信号を前記コントロールユニット側へ送出するための信号線が前記収納ケースから外部に延出されており、当該信号線は、前記ディスプレイの背面側に設けられた溝に嵌め込まれていること
を特徴とする車載通信装置用のアンテナユニット。
【請求項８】
請求項６記載の車載通信装置用のアンテナユニットにおいて、
前記収納ケースは、ディスプレイ側に設けられたコネクタと接続可能なコネクタも収納しており、前記受信信号は、前記コネクタを介し、さらにディスプレイが車載の別の装置と通信するために有する信号線を介して、前記コントロールユニット側へ送出されるように構成されていること
を特徴とする車載通信装置用のアンテナユニット。
【請求項９】
請求項１，２，５〜８の何れか記載の車載通信装置用のアンテナユニットにおいて、
前記制御回路部は、前記ディスプレイの制御回路と一体化されていること
を特徴とする車載通信装置用のアンテナユニット。
【請求項１０】
請求項１〜９の何れか記載の車載通信装置用のアンテナユニットにおいて、
前記ディスプレイの表示面が垂直になるように配置された状態を基準として、この配置状態で取り付けたときに適切な指向性が得られるように構成されていること
を特徴とする車載通信装置用のアンテナユニット。
【発明の詳細な説明】
【０００１】
【発明の属する技術分野】
本発明は、例えばＧＰＳやＶＩＣＳ、ＥＴＣ（有料道路における自動料金収受システム）などのシステムを利用するために車載される通信装置用のアンテナユニットに関する。
【０００２】
【従来の技術】
従来より、車載装置と外部装置との間で通信を行って車両の走行をより円滑にするためのシステムとして、例えばＧＰＳやＶＩＣＳ、ＥＴＣなどが挙げられる。これらのシステムを利用するために車両側に搭載する通信装置の内、コントロールユニットは、特段その位置が限定されないが、アンテナユニットは、外部からの電波などを受信する必要があるため、ダッシュボード上又はダッシュボード内に取り付けられているのが通例である。したがって、これらのシステムを利用しようとした場合には、例えば図６に示すように、ＧＰＳ用ユニット、ＶＩＣＳ用ユニット、ＤＳＲＣ無線ユニットなどがダッシュボード上に配置されることとなる。なお、光通信による場合の受光部（光センサ）についても、ここでいうアンテナユニットの概念に含まれるものとする。
【０００３】
【発明が解決しようとする課題】
しかし、ダッシュボード周りに取り付けられる機器（例えばエアバッグやディスプレイその他）が多くて、それらの邪魔にならないようにアンテナユニットを配置するためのスペースの確保が難しいという現状がある。特に、指向性が要求されるアンテナ類の場合には、適切な受信という観点から理想の取付角度に近い角度が要求される。そのため、ダッシュボードのどこでもよいというわけではなく、上述の理想取付角度に近い角度が確保できるような場所への取付が必要となってくる。また、角度調整機構を設けることによって対処することも可能であるが、機構が複雑になってしまう。これらのことから、例えばフロントガラスに貼付してしまう、といった法規違反を招来するおそれもあり、さらにドライバの視界を妨げて安全性の面でも問題がある。
【０００４】
そこで本発明は、外部との通信に適切、且つ他の装置との関係でも適切な位置に配置可能な車載通信装置用のアンテナユニットを提供することを目的とする。
【０００５】
【課題を解決するための手段及び発明の効果】
上記目的を達成するためになされた請求項１記載の車載通信装置用のアンテナユニットは、ダッシュボード付近に配置されたディスプレイの正面以外の周囲に取り付けられているため、アンテナユニット自体をダッシュボード上へ載置しなくてもよくなり、ダッシュボード上への配置を極力少なくしたいという要望に応えられる。
【０００６】
なお、「ダッシュボード上へ載置しない」といっても、例えばバックミラー周辺に配置すると、一般的にダッシュボード内や座席下方に配置されることの多いコントロールユニットとの距離が長くなる。すると、アンテナユニットとコントロールユニットとを接続するケーブル長が長くなり、高周波の減衰が問題となる。したがって、ケーブル長は短い方がよく、本発明の構成の方がその点でも好ましいと言える。
【０００７】
また、指向性のあるアンテナについては、理想の取付角度に近い角度を確保することが好ましい。但し、ダッシュボードの形状は車種によっても異なり、そのような形状の違いに対応するためには、角度調整機構を設けなくてはならなかった。これに対して本発明では、ディスプレイを基準として取り付けることができるため、角度調整機構などは不要である。つまり、ディスプレイはダッシュボードの形状にかかわらず、乗員（主に運転手）から見易い角度に取り付けられるため、ほぼ垂直方向に配置されるのが一般的である。したがって、請求項１０に記載のように、このようなディスプレイを基準とすることで、上述した理想の取付角度に近い角度を確保することが、角度調整機構を必要とせずに実現可能となる。
【０００８】
そして、このように角度調整機構が不要となることは次の点でも有効である。つまり、角度調整機構があった場合、取付ステイが大きくなり、コストアップにつながる。また、角度調整は取付状態で行う必要があり、作業性が悪い。したがって、角度調整機構が不要となることで、このような不都合が生じない、という効果がある。
【０００９】
さらに、元々ドライバの視界を妨げることは極力避けるような位置に配置されたディスプレイの周囲に取り付けるため、アンテナユニットがドライバの視界の妨げになる可能性は少ない。
なお、この「ドライバの視界を妨げない」という観点からすれば、請求項５に示すように、アンテナユニットをディスプレイの背面側に取り付けることが好ましい。
【００１０】
ところで、アンテナユニットをディスプレイに取り付ける場合、その適切な取付位置は、取付対象の車両の状況によって変わってくる。フロントウインドウの傾きが急なものであれば、ディスプレイの上端側にアンテナユニットが取り付けられていると、そのアンテナユニットとウインドウが干渉してしまう可能性もある（図５（ａ）参照）。したがって、そのような不都合を避けるためにはディスプレイの下端側に取り付けた方が好ましいと場合が多いと考えられる。一方、ダッシュボード上に配置スペースが確保できない場合は、ダッシュボードの正面に近い側へ取り付けることとなる（図５（ｂ）参照）。その場合には、逆にディスプレイの下端側にアンテナユニットが取り付けられていると、そのアンテナユニットとダッシュボードが干渉してしまう可能性もあるため、そのような不都合を避けるためにはディスプレイの上端側に取り付けた方が好ましい。
【００１１】
したがって、ディスプレイへの取付位置をディスプレイの上下方向に調節可能に構成しておくことで、これらの状況に対応できる。
なお、ディスプレイの配置場所としては、ダッシュボード上だけでなく、ダッシュボード内の場合もある。この場合はディスプレイの表示部だけが露出することとなるが、アンテナユニットについては、やはりディスプレイの背面側などに取り付ければよい。そして、この場合でも同様の効果が発揮される。
【００１２】
ところで、アンテナユニットはアンテナ部と制御回路部とから構成されているため、これらを両方ともケースに収納し、その収納ケースをディスプレイに取り外し自在に取り付ければ、必要なアンテナユニットのみ取り付けることができる。なお、１つしか取り付けられない場合であれば、交換して取り付ければよいし、複数同時に取り付けられる場合には、必要なだけ取り付ければよい。
【００１３】
また、このような構成において、アンテナユニットからコントロールユニット側へ受信信号を送出するための信号線が収納ケースから外部に延出されている場合には、その信号線をディスプレイの背面側に設けられた溝に嵌め込むことが考えられる。このようにすれば、いわゆる「後付け」作業が簡単に行える。また、例えば複数の車載通信装置用のアンテナユニットをディスプレイの周囲に取り付ける際、必要な車載通信装置用のアンテナユニットのみを取り付ければよく、ディスプレイ側には取付スペースを確保しておけばよい。
【００１４】
もちろん、車載通信装置用のアンテナユニット用の通信線をディスプレイの背面側に設けられた溝に嵌め込むのではなく、背面側に立設された保持具によって保持してもよい。さらには、ディスプレイの外面側で保持する構成ではなく、ディスプレイ内部を通すことも可能ではある。但し、その場合には、ディスプレイ内部を通すためにディスプレイの本体ケースを外すなどの作業が必要となるため、取付スペースの問題がなければ、上述したディスプレイの外面側で保持する構成の方が作業が簡単に済む。
【００１５】
一方、請求項２に示すように、収納ケースがコネクタも収納している場合には、そのコネクタをディスプレイ側に設けられたコネクタと接続することで、受信信号を、コネクタを介し、さらにディスプレイが車載の別の装置と通信するために有する信号線を介して、コントロールユニット側へ送出することができる。このようにすれば、信号線を別個に設ける必要がなくなるが、この場合には、コントロールユニットをディスプレイの制御回路と一体化するためにコネクタ類を予め準備しておく必要がある。したがって、例えば複数の車載通信装置用のアンテナユニットをディスプレイの周囲に取り付けられるようにした場合には、実際には使用しない場合であっても、コネクタ類はディスプレイ側に準備しておかなくてはならない。
一方、請求項３に記載のように、ダッシュボード付近に配置されたディスプレイの背面側に設けられた、当該アンテナユニットの形状に相当する空間に嵌め込むことで取り付けるように構成してもよい。
また、請求項４に記載のように、ダッシュボード付近に配置されたディスプレイの背面側に縦方向に設けられた係止溝に係合することで、当該アンテナユニットをディスプレイの背面側に固定可能な係合手段を備え、当該係合手段によって係止溝に沿った任意の場所に取り付け可能に構成してもよい。
【００１６】
また、上述の収納ケースは用いず、請求項７に示すように、制御回路部はディスプレイの制御回路と一体化し、アンテナ部のみをディスプレイの周囲（例えば背面）に取り付けるようにしてもよい。但し、この場合も、アンテナ部を実際に使用するかしないかにかかわらず、制御回路部は予め準備しておかなくてはならない。
【００１７】
なお、アンテナユニットは、フロントガラスを介して少なくとも外部装置からの信号を受信し、コントロールユニット側へ受信信号を送出可能であればよいが、もちろん、逆に外部装置へ信号を送信する機能も併せ持つ送受信のためのアンテナユニットであってもよい。
【００１８】
【発明の実施の形態】
以下に、本発明の好適な実施例を図面に基づいて説明する。尚、本発明の実施の形態は、下記の実施例に何ら限定されるものではなく、本発明の技術的範囲に属する限り種々の形態を採り得ることはいうまでもない。
【００１９】
［第１実施例］
まず、第１実施例の車載通信装置用のアンテナユニット１について説明する。図１（ａ）は、ディスプレイ２に取り付けられた状態の車載通信装置用のアンテナユニット１を示しており、図１（ｂ）は、その内部を側方から見た図である。また、図１（ｃ），（ｄ），（ｅ）は、車載通信装置用のアンテナユニット１単体をそれぞれ背面、側面、正面から見た図である。なお、図１（ａ），（ｂ）では、構造内部を示すために破断部分を明示せずに適宜実線で示している。
【００２０】
アンテナユニット１は、例えばＧＰＳやＶＩＣＳ用のアンテナユニット、あるいはＥＴＣ用のＤＳＲＣアンテナユニットなどである。また、車載通信装置はアンテナユニット１とコントロールユニット（図示せず）によって構成されるが、このコントロールユニットは、ダッシュボード内や座席下方などに配置されている。
【００２１】
本実施例のアンテナユニット１は、図１（ｃ）〜（ｅ）に示す収納ケース３内に収納されており、この収納ケース３は、小判状の背面板３１の中央部分に升状の収納部３２が立設された形状である。収納部３２内には、アンテナ基板３３、制御基板３４、それらを繋ぐケーブル３５などが収納されている。なお、このアンテナ基板３３、制御基板３４が、それぞれ特許請求の範囲における「アンテナ部」、「制御回路部」に相当する。
【００２２】
そして、制御基板３４に接続されたアンテナ信号ケーブル３６は、背面板３１側から外へ延出されている。このアンテナ信号ケーブル３６は、図１（ｆ）に示すように、複数のアンテナ信号線をアンテナ信号ケーブル被覆で被覆して形成されている。なお、このアンテナ信号線が特許請求の範囲における「信号線」に相当する。また、背面板３１の収納部３２が立設されていない部分（両端付近）には、ネジ穴３１ａが設けられている。
【００２３】
一方、ディスプレイ２の本体ケース２１の背面側には、およそ収納ケース３の収納部３２の高さ分に相当する空間が設けられており、本体ケース２１自体には、収納ケース３の背面板３１分だけ窪んだ窪み部２１ａが設けられている。そして、その窪み部２１ａの中央部分には、収納ケース３の収納部３２が丁度嵌合できる穴２１ｂが設けられている。また、その穴２１ｂに収納部３２を嵌合させた状態で収納ケース３の背面板３１のネジ穴３１ａに対応する窪み部２１ａ側の部分には、やはりネジ穴（図示せず）が設けられている。
【００２４】
したがって、穴２１ｂに収納部３２を嵌合させながら背面板３１を窪み部２１ａに嵌め込み、背面板３１側のネジ穴３１ａと窪み部２１ａ側のネジ穴にネジ４０を螺合させることで、収納ケース３を本体ケース２１に、つまりディスプレイ２に取り付けることができる。
【００２５】
また、こうして取り付けた収納ケースから延出するアンテナ信号ケーブル３６は、本体ケース２１に形成された溝２１ｃに嵌め込まれる。この溝２１ｃは、図１（ａ）のＡ−Ａ端面図である図１（ｆ）に示すように、アンテナ信号ケーブル３６の径よりも少しだけ小さい幅に形成されているため、アンテナ信号ケーブル３６をその溝２１ｃの中へ押し込むことにより、簡単には外れないようになっている。また、このようにアンテナ信号ケーブル３６を溝２１ｃ内に入れれば、ディスプレイ２の背面側に凸部が少なくなってほとんど平坦にすることができる。
【００２６】
なお、ディスプレイ２の正面側には、図１（ｂ）に示すように液晶表示部２５が配置されており、中央部分には、２枚のＰＣ板２６に挟まれた制御回路２７が配置されている。なお、その制御回路２７からディスプレイ２用の信号ケーブル２８が延出されている。
【００２７】
ところで、このディスプレイ２は、図２に示すように、ダッシュボードＤＢ上に載置されている。一般的に、ディスプレイ２は液晶表示部２５が垂直になるように配置されるため、このディスプレイ２の配置状態を基準として、アンテナユニット１の配置状態も定まることとなる。そのため、アンテナユニット１内部においては、この定められた配置状態において適切な指向性が得られるように、図１に示すアンテナ基板３３の角度を設定して収納部３２内に収納する。具体的には、図２（ｂ）に示すように、適切な指向性が得られる角度としての「水平からＡ°下方」に傾いてフロントウインドウ側へ対向するよう、アンテナ基板３３が配置されている。
【００２８】
このような構成の本実施例のアンテナユニット１によれば、ダッシュボードＤＢ上へ載置しなくてもよくなり、ダッシュボードＤＢ上への配置を極力少なくしたいという要望に応えられる。そして、指向性のあるアンテナユニット１については、理想の取付角度に近い角度を確保することが好ましい。そのため、従来はダッシュボードＤＢの特定の場所に限定されてしまい、それを回避するためには、角度調整機構を設けなくてはならなかった。これに対して本実施例の場合には、ディスプレイ２を基準として取り付けることができるため、角度調整機構などは不要でありながら、理想の取付角度に近い角度を確保することができる。
【００２９】
そしてさらに、元々ドライバの視界を妨げることは極力避けるような位置に配置されたディスプレイ２の背面に取り付けられているため、アンテナユニット１がドライバの視界の妨げになる可能性は少ない。
また、アンテナユニット１は、図１に示すように、収納ケース３をディスプレイ２に取り外し自在に取り付けられているので、必要な場合のみ取り付けることができる。したがって、ユーザによって利用するアンテナユニット１の種類が異なる場合であっても対応できる。なお、アンテナユニット１自体を全く使用しない場合であれば、内部に何も収納していない空の収納ケース３のみを取り付けておけばよい。
【００３０】
そして、こうして取り付けた収納ケース３から延出するアンテナ信号ケーブル３６は、本体ケース２１の溝２１ｃに嵌め込めば固定されるため、「後付け」作業が簡単に行える。
［第２実施例］
上述した第１実施例では、アンテナユニット１とコントロールユニット側とをつなぐアンテナ信号ケーブル３６は収納ケース３から外部に延出され、ディスプレイ２の背面側に設けられた溝２１ｃに嵌め込まれていた。このようにすれば、「後付け」作業が簡単に行える利点はあるが、ディスプレイ２からは、ディスプレイ２用の信号ケーブル２８とアンテナユニット１のアンテナ信号ケーブル３６の２本が外部へ出ていることとなる。
【００３１】
そこで、図３に示す第２実施例では、ディスプレイ２用の信号ケーブル２８中にアンテナ信号線を入れるようにし、アンテナ信号ケーブル３６自体を無くした。なお、図３において、図１に示す第１実施例と同様の構成部分については同じ符号を付して説明を省略する。
【００３２】
第２実施例のアンテナユニット１０１の場合には、制御基板３４がコネクタ５０と接続しており、図３（ｅ）に示すように、そのコネクタ５０の端部（コネクト部分）が収納部３２外に露出している。一方、ディスプレイ２内のＰＣ板２６にも図示しないコネクタがあり、アンテナユニット１０１側のコネクタ５０をディスプレイ２側のコネクタと繋げることによって、アンテナユニット１０１の制御基板３４とディスプレイ２側の制御回路２７との間でデータ交換できるようになる。したがって、アンテナユニット１０１にて受信した信号は、ディスプレイ２側の制御回路２７を介し、信号ケーブル２８中のアンテナ信号線によって図示しないコントロールユニット側へ送出することができる。
【００３３】
このようにすれば、信号線を別個に設ける必要はなくなる。但し、その代わりにアンテナユニット１０１側にコネクタ５０が新たに必要となり、さらにディスプレイ２側にコネクタが必要となる。そして、実際にはアンテナユニット１０１を使用しない場合であっても、ディスプレイ２側のコネクタは準備しておかなくてはならない。
【００３４】
［第３実施例］
上述した第１，２実施例では、ディスプレイ２に対してアンテナユニット１，１０１を取り付ける位置は固定されていたが、本第３実施例では、取付位置を移動できるようにした。
【００３５】
図４（ａ）に示すように、第３実施例のアンテナユニット２０１は、収納ケース２０３内に収納されており、この収納ケース２０３は、小判状の取付板２３１の中央部分に升状の収納部２３２が立設された形状である。そして、取付板２３１の収納部２３２が立設されていない部分（両端付近）にはネジ穴２３１ａが設けられており、そのネジ穴２３１ａにはネジユニット２５０が嵌合されている。
【００３６】
このネジユニット２５０は、図４（ａ）のＢ−Ｂ断面図である図４（ｂ）に示すように、頭付きの雄ネジ２５１とナット２５２と樹脂カバー２５３とから構成されている。詳しくは、雄ネジ２５１を、収納部２３２が設けられているのとは反対側からネジ穴２３１ａに貫通させ、ネジ頭２５１ａとは反対側でナット２５２を螺合し、その螺合部分を覆うように樹脂カバー２５３を被せてある。
【００３７】
一方、ディスプレイ２の本体ケース２１の背面側は、第１あるいは第２実施例の場合のような空間は設けられておらず、その代わりに、図４（ａ）に示すように、縦方向に２本の係合溝２１１が設けられている。この係合溝２１１は、図４（ｂ）に示すように、内部で拡がっており、ネジユニット２５０の雄ネジ２５１のネジ頭１５１ａがその拡がった部分に入れられると、板面に垂直方向には抜けないようになっている。なお、係合溝２１１の最上部には、この雄ネジ２５１のネジ頭１５１ａも入るような広い開口部２１１ａが形成されており（図４（ａ）参照）、その開口部２１１ａにおいてネジ頭２５１ａを出し入れすることができる。
【００３８】
このように係合溝２１１に雄ネジ２５１を係合させた状態でナット２５２を螺合すれば、雄ネジ２５１のネジ頭１５１ａとナット２５２間に取付板２３１等を挟持することとなり、これによって、収納ケース２０３を任意の場所にて固定することができる。
【００３９】
このようにアンテナユニット２０１の取付位置を可変にしたのは次の理由である。例えば図５（ａ）に示すように、フロントウインドウの傾きが急なものであれば、ディスプレイ２の上端側にアンテナユニット２０１が取り付けられていると、そのアンテナユニット２０１とウインドウが干渉してしまう可能性もあるしたがって、そのような不都合を避けるためにはディスプレイ２の下端側に取り付けた方が好ましい。つまり、ディスプレイ２上端からの距離を相対的に大きな距離Ｌ１とする。
【００４０】
一方、ディスプレイ２自体のダッシュボードＤＢ上での配置スペースが確保できない場合は、図５（ｂ）に示すように、ダッシュボードＤＢの正面に近い側へディスプレイ２を取り付けることとなる。その場合には、逆にディスプレイ２の下端側にアンテナユニット２０１が取り付けられていると、そのアンテナユニット２０１とダッシュボードＤＢが物理的に干渉したり、通信エラーを生じさせてしまう可能性もあるため、そのような不都合を避けるためにはディスプレイ２の上端側に取り付けた方が好ましい。つまり、ディスプレイ２上端からの距離を相対的に小さな距離Ｌ２とする。
【００４１】
したがって、本第３実施例のような構成を採用すれば、ディスプレイへ２の取付位置をディスプレイ２の上下方向に調節可能となり、これらの状況に対応できる。
なお、本実施例では、雄ネジ２５１とナット２５２の螺合部分を覆うように樹脂カバー２５３を被せたが、ナット２５２と一体形成してもよい。
【００４２】
［その他］
（１）上記各実施例では、ディスプレイ２にアンテナユニット１，１０１，２０１をそれぞれ１つずつ取り付ける例として説明したが、当然ながら、複数のアンテナユニット１，１０１，２０１を取り付けるようにしてもよい。
（２）また上記実施例では、アンテナ基板３３と制御基板３４を同じケース内に収納した例を示したが、例えば制御基板３４についてはディスプレイ２側に組み付けるようにしてもよい。但し、その場合は、該当するアンテナユニットを使用しない場合でも、制御基板３４に相当する機能を常にディスプレイ２側には準備しておかなくてはならない。また、制御基板３４をコントロールボックス側に組み付けることも可能である。
（１）また上記各実施例では、アンテナユニット１，１０１，２０１をディスプレイ２の背面に取り付けたが、例えば側面であっても構わない。このようにしても「ドライバの視界を妨げない」というメリットはそれなりに得られるからである。但し、好ましいのは、やはりディスプレイ２の背面側であろう。
（４）上記第１実施例では、収納ケース３から延出するアンテナ信号ケーブル３６を、本体ケース２１の溝２１ｃに嵌め込むようにしたが、ディスプレイ２の外面側で保持する構成ではなく、本体ケース２１の内部を通すことも可能ではある。但し、その場合には、本体ケース２１を一度外すなどの作業が必要となるため、取付スペースの問題がなければ、上述したディスプレイの外面側で保持する構成の方が作業が簡単に済む。
【図面の簡単な説明】
【図１】第１実施例のアンテナユニットの説明図である。
【図２】第１実施例のアンテナユニットを取り付けたディスプレイの配置を示す説明図である。
【図３】第２実施例のアンテナユニットの説明図である。
【図４】第３実施例のアンテナユニットの説明図である。
【図５】第３実施例のアンテナユニットによる効果を示す説明図である。
【図６】従来技術の説明図である。
【符号の説明】
１，１０１，２０１…アンテナユニット    ２…ディスプレイ
３，２０３…収納ケース                ２１…本体ケース
２１ａ…窪み部                      ２１ｂ…穴
２１ｃ…溝                            ２５…液晶表示部
２６…ＰＣ板                          ２７…制御回路
２８…信号ケーブル                    ３１…背面板
３１ａ…ネジ穴                ３２，２３２…収納部
３３…アンテナ基板                    ３４…制御基板
３５…ケーブル                        ３６…アンテナ信号ケーブル
４０…ネジ                            ５０…コネクタ
２１１…係合溝                    ２１１ａ…開口部
２３１…取付板                    ２３１ａ…ネジ穴
２５０…ネジユニット                ２５１…雄ネジ
２５１ａ…ネジ頭                    ２５２…ナット
２５３…樹脂カバー                    ＤＢ…ダッシュボード
【図１】
0004038951.tif 000002
【図２】
0004038951.tif 000003
【図３】
0004038951.tif 000004
【図４】
0004038951.tif 000005
【図５】
0004038951.tif 000006
【図６】
0004038951.tif 000007